(57)【要約】【課題】腰部／腹部フィットネスチェアの提供。【解決手段】腰部／腹部フィットネスチェア１００は、使用者の腰部と腹部の筋肉を強化でき、底台１０９、背もたれ装置１０７、座席装置１４５を有する。底台１０９はサイドバー１２７と前横バー１２９を有し、床面でのサポートを提供する。背もたれ装置１０７は底台１０９において、２個或いはそれ以上の軸により旋回する。背もたれ装置１０７は、２個或いはそれ以上の対のピボットジョイント１１９を有する。各一対のピボットジョイント１１９は、その内の一つの回転軸を組成することができる。ハンドル１２１は、回転軸上に横方向に接続される。座席装置１４５は底台１０９に設置され、これにより使用者は座席装置の座席クッション１２５に座ることができ、手でハンドル１２１を押すことで、背もたれ装置１０７を回転させる。【選択図】図１
0003199682.tif 000002
【実用新案登録請求の範囲】
【請求項１】
腰部／腹部フィットネスチェアであって、底台、背もたれ装置、座席装置を有し、
前記底台は、サイドバー、前横バーを有し、床面でのサポートを提供し、前記サイドバーは、第一サイドバーと第二サイドバーを有し、前記前横バーは、前記第一サイドバーと前記第二サイドバーとの間に横に接続し、
前記背もたれ装置は、前記底台で旋回し、前記背もたれ装置は、２個或いは多数個の回転軸を有し、前記背もたれ装置は、前記２個或いは多数個の回転軸により回転し、前記背もたれ装置は、前記２個或いは多数個のピボットジョイントを有し、前記少なくとも２個のピボットジョイントは、前記サイドバー上に回転するように接続し、各一対のピボットジョイントは、一方の回転軸を組成し、且つ少なくとも１個のハンドルは、前記回転軸上に横に接続し、
前記座席装置は、座席クッションを有し、前記座席装置は、前記前横バー上に接続し、使用者は前記座席クッションに座ることができ、手でハンドルを押すことで、前記背もたれ装置を回転させることを特徴とする腰部／腹部フィットネスチェア。
【請求項２】
前記背もたれ装置の２個のピボットジョイントは、少なくとも第一ピボットジョイントと第二ピボットジョイントを有し、第一旋回構造、第二旋回構造、背もたれクッションをさらに有し、
前記第一旋回構造は、第一対のピボットジョイントを有し、前記第一旋回構造は、前記第一ピボットジョイントを巡って回転し、
前記第二旋回構造は、第二対のピボットジョイントを有し、第二旋回構造は、前記第二ピボットジョイントを巡って回転し、
前記背もたれクッションは、前記第一旋回構造と前記第二旋回構造との間に取り付け、前記背もたれクッションは、前記第一旋回構造上に固定するが、前記背もたれクッションは、前記第二旋回構造上に移動可能なように接続し、前記背もたれクッションは、前記背もたれ装置の回転方式に頼り移動し、前記第二旋回構造は、前記背もたれクッションの回転運動の過程において、前記背もたれクッションの縦方向での移動を制限することを特徴とする請求項１に記載の腰部／腹部フィットネスチェア。
【請求項３】
前記第一旋回構造は、前記第一ピボットジョイントと第三ピボットジョイントとの間に位置する一対の旋回アームを有し、横バーは、前記第三ピボットジョイントにより連接される旋回アームにより連動されて回転し、
前記背もたれクッションとハンドルは、前記横バー上に固定し、前記横バーは、少なくとも１個の回転軸と平行であることを特徴とする請求項２に記載の腰部／腹部フィットネスチェア。
【請求項４】
前記腰部／腹部フィットネスチェアは、１個或いは多数個のサポートバーをさらに有し、
前記サポートバーは、前記横バー上に横方向に固定して接続され、前記背もたれクッションは、座サポートバーを通して、前記第一旋回構造に固着され、且つ少なくとも１個のボルト構造は、ハンドルの前記横バー上への螺合を促し、前記各ハンドルの一端は、前記ボルト構造と相互に連結することを特徴とする請求項３に記載の腰部／腹部フィットネスチェア。
【請求項５】
前記ボルト構造は、コントロールハンドルレバーを有し、ハンドルと横バーとの連結を促し、
前記ボルト構造が緊密に締められると、前記ハンドルは前記横バー上に固定され、
前記ボルト構造が緩められると、前記ハンドルは、前記横バー上に旋回可能なように接続されることを特徴とする請求項４に記載の腰部／腹部フィットネスチェア。
【請求項６】
前記サポートバーは、前記横バーを接続し平面状を形成し、さらに前記各ハンドルは、それが構成する平面とある角度を形成することを特徴とする請求項４に記載の腰部／腹部フィットネスチェア。
【請求項７】
前記腰部／腹部フィットネスチェアは、少なくとも１個のグリップをさらに有し、
前記各ハンドルの前記横バーに固定して接続する相対端に、前記グリップを取り付け、これにより前記ハンドルを押して移動させることを特徴とする請求項４に記載の腰部／腹部フィットネスチェア。
【請求項８】
前記第二旋回構造は、連動バー、軸接器を有し、
前記連動バーの両端には、２個のピボットジョイントを有し、スライドバーは、前記連動バー上に横方向に固定し、
前記軸接器は、前記背もたれクッション上に固定し、前記軸接器は、導引嵌着パイプを有し、スライドバーをスライド挿入し、前記連動バーと前記背もたれクッションとの間のスライド移動を提供することを特徴とする請求項２に記載の腰部／腹部フィットネスチェア。
【請求項９】
前記連動バーは、一対のサポートアームを有し、
前記各サポートアームは、何れかのピボットジョイントに連接し、中央バーは、前記サポートアームの中間に固定し、スライドバーは、前記中央バー上に固定することを特徴とする請求項８に記載の腰部／腹部フィットネスチェア。
【請求項１０】
前記スライドバー及び前記嵌着パイプは、前記背もたれクッション上で前後に伸縮スライド動できることを特徴とする請求項８に記載の腰部／腹部フィットネスチェア。
【請求項１１】
前記各変のサイドバー上には、軸接フレーム台を取り付け、
前記軸接フレーム台は、２個或いはそれ以上のサポート軸貫通孔を設置し、且つ少なくとも二対のピボットジョイントは、前記サイドバー上のサポート軸貫通孔に通され回転することを特徴とする請求項１に記載の腰部／腹部フィットネスチェア。
【請求項１２】
前記腰部／腹部フィットネスチェアは、延長サポートフレームをさらに有し、
前記延長サポートフレームは、前記座席装置を通して、取り外し可能なように、前記底台に固定され、これにより前記背もたれ装置の回転時、使用者の脚部はサポートされ、
前記延長サポートフレームは、上向きの延長バー、前記上向きの延長バーに横方向に固着する１個或いは多数個の脚を載せるための脚掛けバーを有することを特徴とする請求項１に記載の腰部／腹部フィットネスチェア。
【請求項１３】
腰部／腹部フィットネスチェアは、底台、背もたれ装置、背もたれクッション、座席装置を有し、
前記底台は、サイドバーを有し、床面でのサポートを提供し、
前記背もたれ装置は、２個或いは多数個の回転軸により、前記底台上で回転し、前記背もたれ装置は、第一旋回構造、第二旋回構造を有し、
前記第一旋回構造は、第一対のピボットジョイントにより、前記サイドバー間において旋回し、２個或いはそれ以上のピボットジョイントを連動し、前記第一旋回構造は、少なくともハンドルを有し、横方向に取り付け、回転軸線に垂直とし、
前記第二旋回構造は、第二対のピボットジョイントにより、前記サイドバー間において旋回し、前記第二ピボットジョイントは、前記サイドバー間で回転し、２個或いはそれ以上のピボットジョイントを連動し、
前記背もたれクッションは、前記第一旋回構造と前記第二旋回構造の間に取り付け、前記背もたれクッションは、前記第一旋回構造上に固着し、且つ前記背もたれクッションは、前記第二旋回構造に移動可能なように接続し、前記背もたれクッションの移動は、前記背もたれ装置の回転方式に頼り、前記第二旋回構造の、前記背もたれクッションにおける旋回運動の過程において、前記背もたれクッションの縦方向の移動を制限でき、
前記座席装置は、座席クッションを有し、前記座席装置は、前サイドバー上に接続し、これにより使用者は座席クッションに座り、手でハンドルを押すことで、前記背もたれ装置を回転させることを特徴とする腰部／腹部フィットネスチェア。
【請求項１４】
前記腰部／腹部フィットネスチェアは、延長サポートフレームをさらに有し、
前記延長サポートフレームは、前記座席装置を通して、取り外し可能なように、前記底台に固定され、
前記背もたれ装置の回転時には、使用者の脚部を支えることを特徴とする請求項１３に記載の腰部／腹部フィットネスチェア。
【考案の詳細な説明】
【技術分野】
【０００１】
本考案は腰部／腹部フィットネスチェアに関し、特に旋回構造を備え、使用者の腰部／腹部筋肉を鍛錬できるフィットネスマシンに関する。
【背景技術】
【０００２】
運動不足が引き起こす健康問題に対する意識の高まりに従い、フィットネスマシンは一般に広がっている。通常、これらフィットネスマシンは、身体の特定部位の運動向けに設計されている。例えば、腰部／腹部フィットネスマシンは、身体を鍛錬することで、腰部と腹部の筋肉を強化するものである。
【０００３】
しかしながら、既存の腰部／腹部フィットネスマシンの通常設計は、腹筋運動の変化に基づいているが、腰部／腹部を効果的に鍛錬するためには、腰部、大腿部などの身体の異なる部位の筋肉動作を組み合わせる必要がある。多くの腰部／腹部フィットネスマシンは、身体の異なる部位の鍛錬には有効だが、これら多用途のフィットネスマシンは通常、重く高価である。また、これら設備はしばしば簡単な回転運動しか提供することができない。
【考案の概要】
【考案が解決しようとする課題】
【０００４】
前記先行技術に対する説明で分かるとおり、従来の腰部／腹部フィットネスマシンは、使用者が腰部／腹部の筋肉を鍛錬するにあたり、不経済で効果が低いという欠点がある。
【課題を解決するための手段】
【０００５】
本考案は多軸旋回方式により背面部を支えることで、身体を前傾させ、ハンドルを背面部に合わせることで、使用者に押し出し圧力をかけさせ、腹部と腰部の筋肉を鍛錬する腰部／腹部フィットネスチェアに関する。
【０００６】
本考案による腰部／腹部フィットネスチェアは、底台、背もたれ装置、座席装置を有する。
該底台は、サイドバーと前横バーを有し、床面でのサポートを提供する。
該サイドバーは、第一及び第二サイドバーを有し、該前横バーは、該第一及び第二サイドバーに横方向に取り付けられる。
該背もたれ装置は、該底台上において、２個或いは多数個の軸により旋回する。
実施形態においては、該背もたれ装置は、２個或いはそれ以上の対のピボットジョイントを有するが、該サイドバー上には、少なくとも二対のピボットジョイントを接続して回転する。
該各一対のピボットジョイントは、その内の一つの回転軸を組成することができる。
且つ、少なくとも１個のハンドルを有し、回転軸上に横方向に接続される。
該座席装置は、該底台上に設置され、これにより使用者は該座席装置の座席クッションに座ることができ、手でハンドルを押すことで、該背もたれ装置を回転させる。
【考案の効果】
【０００７】
本考案の実施形態を応用する特徴の一つは、多軸旋回方式により背面部を支えることで、身体を前傾させ、ハンドルを背面部に合わせることで、使用者に押し出し圧力をかけさせ、腹部と腰部の筋肉を鍛錬することができる。
【図面の簡単な説明】
【０００８】
【図１】本考案の一実施形態による腰部／腹部フィットネスチェアの実施形態立体図である。
【図２】本考案の一実施形態による腰部／腹部フィットネスチェアの別種の実施形態立体図である。
【図３】本考案の一実施形態による腰部／腹部フィットネスチェアの実施形態立体分解図である。
【図３Ａ】本考案の一実施形態による腰部／腹部フィットネスチェアの実施形態模式図である。
【図３Ｂ】本考案の一実施形態による腰部／腹部フィットネスチェアの実施形態模式図である。
【図３Ｃ】本考案の一実施形態による腰部／腹部フィットネスチェアの実施形態模式図である。
【図３Ｄ】本考案の一実施形態による腰部／腹部フィットネスチェアの実施形態模式図である。
【図４Ａ】本考案の一実施形態による腰部／腹部フィットネスチェアの使用実施形態の立体模式図である。
【図４Ｂ】本考案の一実施形態による腰部／腹部フィットネスチェアの使用実施形態の立体模式図である。
【図４Ｃ】本考案の一実施形態による腰部／腹部フィットネスチェアの使用実施形態の立体模式図である。
【図４Ｄ】本考案の一実施形態による腰部／腹部フィットネスチェアの使用実施形態の立体模式図である。
【図４Ｅ】本考案の一実施形態による腰部／腹部フィットネスチェアの使用実施形態の立体模式図である。
【図４Ｆ】本考案の一実施形態による腰部／腹部フィットネスチェアの使用実施形態の立体模式図である。
【図５Ａ】本考案の一実施形態による腰部／腹部フィットネスチェアの使用実施形態の別種の立体模式図である。
【図５Ｂ】本考案の一実施形態による腰部／腹部フィットネスチェアの使用実施形態の別種の立体模式図である。
【考案を実施するための形態】
【０００９】
［実施例］
以下の説明では徹底的な理解を導くため、外観、構成部材名称、構成部材間の連接などの多数の具体的な例をあげたが、本分野の技術人員においては、これら特定の説明がなくとも実施可能である。本考案は、不要な不明瞭を避けるため、従来の構成部材、或いは方法などにおいて、詳細な記述を行わない。具体的な実施については、第一、第二、第三応用実施例に示すが、これにより本考案に制限を加えるものではない。よって、具体的な記述は実施の形態にすぎず、簡易な修正や変化も、本考案の構想と範囲の内に含まれる。
【００１０】
説明では一実施形態というのは特定な効果、構造或は特徴を含み、本考案中の一実施形態は同一の実施形態とは限らない。
【００１１】
図１は本考案の一実施形態の立体図である。図１に示すとおり、腰部／腹部フィットネスチェア１００は、床面で支える（或いは床面に座る）ための底台１０９、底台１０９上において旋回する背もたれ装置１０７を有し、回転動作可能な腰部／腹部フィットネスチェア１００を構成する。回転方式は、３Ｄ方式の多軸回転で、使用者は簡単に手で押すだけで身体を前傾させることができる。
【００１２】
底台１０９は、少なくとも１組（第一及び第二など）のサイドバー１２７、横に接続する前横バー１２９を有する。座席装置１４５は、前横バー１２９に接続し、座る際の支えを提供する座席クッション１２５を有する。前横バー１２９と座席クッション１２５は、底台１０９の一定高度に配置し、腹部筋肉の鍛錬を行う際には、使用者は膝を折って座席クッション１２５上に座ることができる。
【００１３】
実施形態において、背もたれ装置１０７は、２個或いは多数個の軸回転装置を、腰部／腹部フィットネスチェア１００に配置する。言い換えれば、背もたれ装置１０７は、前後に回転できる。腰部／腹部フィットネスチェア１００は、これら多数の軸構造を備えるために、背もたれ装置１０７は、前後に回転できる。背もたれ装置１０７の回転は、背もたれクッション１０１の回転を連動する。
【００１４】
例えば、背もたれ装置１０７は、２個或いは多数対のピボットジョイントを配置することができる。且つ、少なくとも２個のピボットジョイントは、２個のサイドバー１２７上に回転するようにそれぞれ接続する。各一対のピボットジョイントは、その内の一つの回転軸を組成することができる。且つ、背もたれ装置１０７は、回転軸上に横方向に接続する少なくとも１個のハンドル１２１を有する。使用者は、座席クッション１２５に座り、手でハンドル１２１を押し、背もたれ装置１０７を回転させる。
【００１５】
実施形態において、背もたれ装置１０７は、第一旋回構造１０５と第二旋回構造１０３を有する。第一旋回構造１０５は、一対のピボットジョイント１１９を有し、底台１０９の両側のサイドバー１２７上に固定する。第二旋回構造１０３は、連動バー１４７ともう一対のピボットジョイント１１５を有し、底台１０９の両側のサイドバー１２７上に固定する。第一旋回構造１０５は、ピボットジョイント１１９を巡り旋回し、第二旋回構造１０３は、ピボットジョイント１１５を巡り旋回する。
【００１６】
背もたれ装置１０７は、背もたれクッション１０１を有し、第一旋回構造１０５と第二旋回構造１０３との間に設置し、可動性の背面部サポート（多数軸の旋回装置を通して組成）を形成する。背もたれクッション１０１は、第一旋回構造１０５に固着する。言い換えれば、背もたれクッション１０１は、第一旋回構造１０５に対して移動せず、第二旋回構造１０３に接続する背もたれクッション１０１は、移動する。
【００１７】
背もたれクッション１０１と第二旋回構造１０３の相対位置は、背もたれクッション１０１の回転を導引、或いは制限する。例を挙げれば、第二旋回構造１０３は、背もたれクッション１０１における回転運動の過程において、背もたれクッション１０１の縦方向の移動を制限する。
【００１８】
実施形態において、第一旋回構造１０５は、一端がピボットジョイント１１９で、もう一端がピボットジョイント１１７である旋回アーム１１３を有する。例えば、背もたれ装置１０７は、三対のピボットジョイント１１５、１１７、１１９（第一対、第二対、第三対ピボットジョイントなど）を有する。
【００１９】
第一旋回構造１０５は、横バー１４３を有し、ピボットジョイント１１７とピボットジョイント１１３により連接される。背もたれクッション１０１とハンドル１２１とは、横バー１４３上に固定される。横バー１４３は、ピボットジョイント１１７を通して、背もたれ装置１０７の１個の旋回軸を形成する。第一旋回構造１０５は、基本的に、横バー１４３上に接続するハンドル１２１を有する。例えば、ハンドル１２１の一端は、ボルト構造１４１を用いて、ハンドル１２１と横バー１４３とを連結する。また、横バー１４３には、ハンドル孔を配置し、ハンドル１２１と横バー１４３との間の軸接メカニズム（ハンドル１２１をハンドル孔中に組み立てるなど）を提供することができる。さらに、ハンドル１２１と横バー１４３との間の連結メカニズムは、多種の方式が可能で、手により押すことができれば良い。ハンドル１２１の末端には、グリップ１２３をそれぞれ組み合わせる。
【００２０】
一実施形態では、腰部／腹部フィットネスチェア１００は、延長サポートフレーム１１１をさらに有し、座席装置１４５を通して、底台１０９に取り外し可能状に固定される。
例えば、背もたれ装置１０７が回転すると、延長サポートフレーム１１１は、上向きの延長バー１３７、延長ユニット１３９、フロアフレーム台１３５を有し、上向きの延長バー１３７に横方向に固着する１個或いは多数個の脚掛けバー１３１、１３３を支え、これに使用者は両足を載せることができる。延長ユニット１３９は、座席装置１４５に追加し、延長サポートフレーム１１の縦方向の長さを提供する。
【００２１】
図２は、図１に示す腰部／腹部フィットネスチェアの別種の立体図を示す。腰部／腹部フィットネスチェア２００は、底台１０９と背もたれ装置１０７を有し、延長サポートフレームを含まない。
【００２２】
図３は図１に示す腰部／腹部フィットネスチェアの実施例立体図である。例えば、底台１０９と背もたれ装置１０７は、軸接フレーム台３１３により、各辺のサイドバー１２７上に取り付けられ、フレーム台３２１を通して、延長サポートフレーム１１１を座席クッション１２５に螺合する。軸接フレーム台３１３は、２個或いはそれ以上のサポート軸貫通孔３１７を設置する。２個或いはそれ以上のピボットジョイントの背もたれ装置１０７は、サポート軸貫通孔３１７を通して、サイドバー１２７上で連動され回転させられる。
【００２３】
実施形態では、１個或いは多数個のサポートバー３１５は、同一平面上で横バー１４３に横方向に（例えば、背もたれクッション１０１表面に平行）固定して接続する。背もたれクッション１０１は、サポートバー３１５を通して、第一旋回構造１０５に固着する。
ボルト構造１４１は、コントロールハンドルレバー３２３を有し、これにより挿入ピン（図示なし）を締め、或いは緩め、横バー１４３中に横方向に挿入する。ボルト構造１４１は、横バー１４３とサポートバー３１５（或いは背もたれクッション１０１）により構成する平面とハンドル１２１にある角度を形成させる。実際には、ハンドルと平面との間には、任意の通常の角度を形成することができ、ボルト構造１４１を、横バー１４３に沿って、多数の位置に挿入でき、これにより横バー１４３とハンドル１２１との間の角度を調整することができる。
【００２４】
一実施形態では、第二旋回構造１０３は、スライドバー３０５を有し、連動バー１４７上に、横方向に固定して接続することができる。第二旋回構造１０３は、背面の背もたれクッション１０１に固定する軸接器３１９と第一旋回構造１０５を通して、移動式の連接を形成する。軸接器３１９は、導引嵌着パイプ３０７を有し、スライドバー３０５をスライドさせて挿入し、連動バー１４７と背もたれクッションとの間でスライド移動させる。  導引嵌着パイプ３０７とスライドバー３０５とは、背もたれクッション１０１後ろにおいて前後に伸縮してスライド移動する。
【００２５】
連動バー１４７は、ピボットジョイント１１５を配置するサポートアーム３１１と、サポートアーム３１１に固定する中央バー３０１を有する。スライドバー３０５は、中央バー３０１に固定し、第一旋回構造１０５と第二旋回構造１０３との相対運動の案内を提供する。
【００２６】
図３Ａ〜３Ｄは、本考案の一実施形態の模式図であり、フィットネスチェアのコントロールレバーの操作を示す。例えば、図３Ａ〜３Ｄは、図２の腰部／腹部フィットネスチェア２０に基づく。図３Ａは、コントロールハンドルレバー３２３は、締める位置まで転換（例えば、ハンドルを通して）可能で、これによりハンドル１２１と横バー１４３との間の連結を螺合する。実施形態では、ボルト構造１４１の開口槽道３２５は、ハンドル１２１と旋回アーム１１３との関連配置位置を変えることができる。図３Ｂに示すとおり、コントロールハンドルレバー３２３を緩めると、ハンドル１２１は、回転可能な状態を示す（例えば、ハンドル１２１は、開口槽道３２５により、横バー１４３を回すことができ、旋回アーム１１３といっしょに作動させる必要はない）。
【００２７】
図３Ｃに示すとおり、ハンドル１２１を、横バー１４３上に固定すれば、運動開始の準備がされる。コントロールハンドルレバー３２３は、操作中に、図３Ａに示すように、締めることができる。コントロールハンドルレバー３２３を、図３Ｂに示すように緩めると、ハンドル１２１を回すことができる。例えば、運動器材を未使用の際には、折り畳みの配置を示し、空間の必要を減らすことができる。また、例えば図３Ｄに示すとおり、ハンドル１２１は、大きく折り畳んで、座席クッション１２５とぴったりと合わせ、収納の便を図ることができ、コントロールハンドルレバー３２３は、ハンドル１２１と横バー１４３との間の配置位置をコントロールする。コントロールハンドルレバー３２３を締めると（例えば、収納）、ハンドル１２１は、横バー１４３上に固定される。また、コントロールハンドルレバー３２３を閉鎖すると（例えば、緩める）、ハンドル１２１は、横バー１４３上に接続し回転する。
【００２８】
図４Ａ〜図４Ｆは、本考案図２に示す腰部／腹部フィットネスチェア２００の使用実施形態である。図４Ａ及び図４Ｂに示すとおり、使用者は座席クッション１２５に座り、背中を背もたれクッション１０１にもたせ掛け、両ひざを曲げる。両足で床面を踏み、手で押すことで、ハンドルは前方への連動力を生じる。その結果、背もたれクッション１０１は、前方へと回転し、背もたれクッション１０１底部と、多軸回転方式で移動する。こうして、膝を曲げた姿勢を保持していた使用者の身体全体を押して、前傾させる。使用者は、背面部が静止状態となるまで、ハンドルを引き戻すと、腹部の筋肉は、運動器材の回転方式を通して、反復運動を行われ、運動効果を強化することができる。
【００２９】
図４Ｃ及び図４Ｄに示すとおり、使用者は、座席クッション１２５に座り、背中を背もたれクッション１０１にもたせ掛け、膝を右側へと曲げる。両足で床面を踏み、使用者は図４Ａ及び図４Ｂに示す運動に似た運動を執行することができ、同時に、膝を右に曲げた状態を保持する。図４Ｅ及び図４Ｆは、図４Ｃ及び図４Ｃのような類似の応用運動フィットネスマシンを説明し、同時に膝は左側へと曲げる。
【００３０】
図５Ａ及び図５Ｂに示すとおり、本考案に示す腰部／腹部フィットネスチェアの応用実施形態では、図１に示す腰部／腹部フィットネスチェア１００において、使用者は、座席クッション１２５に座ることができる。使用者の背中は背もたれクッション１０１にもたせ掛け、膝はわずかに曲げる。脚を、延長サポートフレーム１１１の脚掛けバー１３１、１３３に掛け、ハンドルを手で前方へと押す。これにより、膝をわずかに曲げている使用者は、図４Ａ及び図４Ｂに類似の動作を執行できる。図５Ａ及び図５Ｂに示すとおり、旋回アーム１１３は、多数のピボットジョイント１１９、１１７により、第一旋回構造１０５（背もたれクッション１０１を含む）と第二旋回構造１０３との間のスイング動に制限される。
【００３１】
前述した本考案の実施形態は本考案を限定するものではなく、よって、本考案により保護される範囲は後述される実用新案登録請求の範囲を基準とする。
【符号の説明】
【００３２】
１００、２００  腰部／腹部フィットネスチェア
１０１  背もたれクッション
１０３  第二旋回構造
１０５  第一旋回構造
１０７  背もたれ装置
１０９  底台
１１１  延長サポートフレーム
１１３  旋回アーム
１１５、１１７、１１９  ピボットジョイント
１２１  ハンドル
１２３  グリップ
１２５  座席クッション
１２７  サイドバー
１２９  前横バー
１３１、１３３  脚掛けバー
１３５  フロアフレーム台
１３７  延長バー
１３９  延長ユニット
１４１  ボルト構造
１４３  横バー
１４５  座席装置
１４７  連動バー
３０１  中央バー
３０５  スライドバー
３０７  導引嵌着パイプ
３１１  サポートアーム
３１３  軸接フレーム台
３１７  サポート軸貫通孔
３１９  軸接器
３２１  フレーム台
３１５  サポートバー
３２３  コントロールハンドルレバー
３２５  開口槽道
【図１】
0003199682.tif 000003
【図２】
0003199682.tif 000004
【図３】
0003199682.tif 000005
【図３Ａ】
0003199682.tif 000006
【図３Ｂ】
0003199682.tif 000007
【図３Ｃ】
0003199682.tif 000008
【図３Ｄ】
0003199682.tif 000009
【図４Ａ】
0003199682.tif 000010
【図４Ｂ】
0003199682.tif 000011
【図４Ｃ】
0003199682.tif 000012
【図４Ｄ】
0003199682.tif 000013
【図４Ｅ】
0003199682.tif 000014
【図４Ｆ】
0003199682.tif 000015
【図５Ａ】
0003199682.tif 000016
【図５Ｂ】
0003199682.tif 000017